(57)【特許請求の範囲】
【請求項１】
干渉波を検出する無線装置であって、
受信帯域の上り干渉波を受信する受信用アンテナと、
送信帯域の下り干渉波を受信する送信用アンテナと、
前記受信用アンテナと接続され、入力された受信帯域の上り干渉波を検出する受信帯域用受信機と、
前記送信用アンテナと接続され、入力された送信帯域の下り干渉波の周波数を受信帯域の周波数へ変換して出力する周波数変換部とを備え、
前記周波数変換部は、前記送信用アンテナにより受信された送信帯域の下り干渉波を入力し受信帯域の周波数へ変換して前記受信帯域用受信機に出力し、
前記受信帯域用受信機は、前記受信用アンテナを経由して受信帯域の上り干渉波を検出するとともに、前記周波数変換部により受信帯域の周波数へ変換された下り干渉波も検出することを特徴とする無線装置。
【請求項２】
送信帯域の下り周波数で送信する送信機と、
前記送信用アンテナと前記周波数変換部の入力側との間の接続に替えて、前記送信用アンテナに接続され、前記周波数変換部の入力側と前記送信機側との間を切替可能に接続されたスイッチとをさらに備え、
前記スイッチを前記送信機側へ切り替えて接続することにより、前記送信機から前記送信用アンテナを経由して送信することを特徴とする請求項１記載の無線装置。
【請求項３】
前記スイッチはサーキュレータであることを特徴とする請求項２記載の無線装置。
【請求項４】
前記受信帯域用受信機と前記周波数変換部の出力側との間の接続に替えて、前記受信帯域用受信機に接続され、前記周波数変換部の出力側と前記受信用アンテナ側との間を切替可能に接続された、前記スイッチとは異なる他のスイッチとをさらに備え、
前記他のスイッチを前記受信用アンテナ側へ切り替えて接続することにより、前記受信用アンテナで受信された受信帯域の上り干渉波を検出することを特徴とする請求項１ないし３のいずれかに記載の無線装置。
【発明の詳細な説明】
【０００１】
【発明の属する技術分野】
本発明は、干渉波検出機能を備えた無線装置に関し、特に送信帯域の下り干渉波検出機能を備えた無線装置に関する。
【０００２】
【従来の技術】
図３は従来の干渉波検出機能を備えた無線装置を示す。図３において、符号１は送信帯域の下り干渉波３１用に使用する送信用アンテナ、２は受信帯域の上り干渉波３２用に使用する受信用アンテナ、３は送信用アンテナ、４は送信用アンテナ１と接続された送信帯域用受信機、５は受信用アンテナ２と接続された受信帯域用受信機、６は送信用アンテナ３と接続された送信機である。従来の無線装置は上述の送信用アンテナ１、受信用アンテナ２、送信用アンテナ３、送信帯域用受信機４、受信帯域用受信機５、送信用アンテナ６により構成されている。
【０００３】
従来の無線装置７において、受信帯域の上り干渉波３２は、受信用アンテナ２を経由して受信帯域用受信機５により検出される。送信帯域の下り干渉波３１は送信用アンテナ１を経由して、送信帯域用受信機４により検出される。すなわち、上り干渉波３２は受信帯域用受信機５により、下り干渉波３１は下り干渉波３１検出専用に設けられた送信帯域用受信機４によりそれぞれ検出されていた。
【０００４】
【発明が解決しようとする課題】
上述のように従来の干渉波検出機能を備えた無線装置は、送信帯域の下り干渉波の検出を行うために、専用の送信用アンテナおよび送信帯域用受信機を必要としていた。そのため無線装置の小型化が困難であり、かつ別に送信帯域用受信機を必要とすることからコストが余計にかかるという問題があった。
そこで、本発明の目的は、上記問題を解決するためになされたものであり、専用の送信用アンテナおよび送信帯域用受信機を備えることなく送信帯域の下り干渉波の検出を行うことができる小型でかつ低コストの無線装置を提供することにある。
【０００５】
【課題を解決するための手段】
この発明の無線装置は、干渉波を検出する無線装置であって、受信帯域の上り干渉波を受信する受信用アンテナと、送信帯域の下り干渉波を受信する送信用アンテナと、前記受信用アンテナと接続され、入力された受信帯域の上り干渉波を検出する受信帯域用受信機と、前記送信用アンテナと接続され、入力された送信帯域の下り干渉波の周波数を受信帯域の周波数へ変換して出力する周波数変換部とを備え、前記周波数変換部は、前記送信用アンテナにより受信された送信帯域の下り干渉波を入力し受信帯域の周波数へ変換して前記受信帯域用受信機に出力し、前記受信帯域用受信機は、前記受信用アンテナを経由して受信帯域の上り干渉波を検出するとともに、前記周波数変換部により受信帯域の周波数へ変換された下り干渉波も検出するものである。
ここで、この発明の無線装置は、送信帯域の下り周波数で送信する送信機と、前記送信用アンテナと前記周波数変換部の入力側との間の接続に替えて、前記送信用アンテナに接続され、前記周波数変換部の入力側と前記送信機側との間を切替可能に接続されたスイッチとをさらに備え、前記スイッチを前記送信機側へ切り替えて接続することにより、前記送信機から前記送信用アンテナを経由して送信することができるものである。
ここで、この発明の無線装置は、前記スイッチはサーキュレータとすることができるものである。
ここで、この発明の無線装置は、前記受信帯域用受信機と前記周波数変換部の出力側との間の接続に替えて、前記受信帯域用受信機に接続され、前記周波数変換部の出力側と前記受信用アンテナ側との間を切替可能に接続された、前記スイッチとは異なる他のスイッチとをさらに備え、前記他のスイッチを前記受信用アンテナ側へ切り替えて接続することにより、前記受信用アンテナで受信された受信帯域の上り干渉波を検出することができるものである。
【０００６】
【発明の実施の形態】
以下、図面を参照して、本発明の実施の形態を詳細に説明する。
【０００７】
実施の形態１．
図１は本発明の実施の形態１における無線装置を示す。図１において、符号３は送信帯域の下り干渉波３１用等に使用する送信用アンテナ、６は送信用アンテナ３と高周波スイッチ８を介して接続された送信機、符号２は受信帯域の上り干渉波３２用に使用する受信用アンテナ（他のアンテナ）、５は受信用アンテナ２と高周波スイッチ１０を介して接続された受信帯域用受信機、９は入力された送信帯域の干渉波の周波数を受信帯域の周波数へ変換して出力する周波数変換部、８は送信用アンテナ３に接続され周波数変換部９の入力側と送信機６側との間を切替可能に接続された高周波スイッチ、１０は受信帯域用受信機５に接続され周波数変換部９の出力側と受信用アンテナ２側との間を切替可能に接続された高周波スイッチ（他のスイッチ）である。上述のように、本実施の形態１における無線装置１７は受信用アンテナ２、送信用アンテナ３、受信帯域用受信機５、周波数変換部９、送信機６、高周波スイッチ８および１０を備えている。
【０００８】
次に動作について説明する。送信帯域の下り干渉波３１が送信用アンテナ３に入力される。入力された送信帯域の下り干渉波３１は、送信用アンテナ３に接続された高周波スイッチ８を周波数変換部９の入力側へ切り替えることにより高周波スイッチ８を通過し、その後、周波数変換部９により送信帯域周波数を受信帯域周波数へ変換される。変換された送信帯域の下り干渉波３１は、受信帯域用受信機５に接続された高周波スイッチ１０を周波数変換部９の出力側へ切り替えることにより高周波スイッチ１０を通過し、受信帯域用受信機５により検出される。周波数変換部９は通常用いられる周波数変換器であり、例えば混合器と発振器とを備え、入力された送信帯域の干渉波と発振器の出力とを混合器に入力して周波数を所定の周波数へ変換して出力するものである。
本実施の形態１における無線装置１７において、さらに送信機６から送信帯域の下り送信波１３を送信する場合は、高周波スイッチ８を周波数変換部９の入力側から送信機６側へ切り替えることにより送信用アンテナ３を経由して送信することができる。受信帯域用受信機５が受信用アンテナ２から受信帯域の上り干渉波３２を検出する場合は、高周波スイッチ１０を周波数変換部９の出力側から受信用アンテナ２側へ切り替えることにより、受信用アンテナ２を経由して検出することができる。
上述のように本実施の形態１における無線装置は、送信帯域の下り干渉波３１を受信帯域へ周波数変換してから受信帯域用受信機５により検出しているため、従来技術における送信帯域の下り干渉波専用の送信帯域用受信機４とこの送信帯域用受信機４に接続された送信用アンテナ１が不要となる。周波数変換部９および高周波スイチ８等のサイズは通常小型であり、コストも低い。したがって無線装置１７は従来の無線装置７と比較して、不要になった送信帯域用受信機４および送信用アンテナ１の分だけ小型化することができ、低コスト化を行うことも可能である。
【０００９】
以上より、実施の形態１によれば、送信帯域の下り干渉波を周波数変換部により受信帯域へ周波数変換してから受信帯域用受信機により検出しているため、送信帯域の下り干渉波専用の送信帯域用受信機とこの送信帯域用受信機に接続された送信用アンテナとを不要とすることができる。したがって干渉波検出機能を有する無線装置を小型化することができ、低コスト化を行うことも可能である。
【００１０】
実施の形態２．
図２は本発明の実施の形態２における無線装置を示す。図２において、図１と同じ符号は同じ機能を有するものを示すため説明は省略する。図２に示すように、実施の形態２における無線装置２７は、実施の形態１における高周波スイッチ８の替わりにサーキュレータ１１を備えている。入力された送信帯域の下り干渉波３１は、送信用アンテナ３に接続されたサーキュレータ１１に入力されて周波数変換部９の入力側へ現れ、その後、周波数変換部９により送信帯域周波数を受信帯域周波数へ変換される。変換された送信帯域の下り干渉波３１は、受信帯域用受信機５に接続された高周波スイッチ１０を周波数変換部９の出力側へ切り替えることにより高周波スイッチ１０を通過し、受信帯域用受信機５により検出される。周波数変換部９は通常用いられる周波数変換器であり、例えば混合器と発振器とを備え、入力された送信帯域の干渉波と発振器の出力とを混合器に入力して周波数を所定の周波数へ変換して出力するものである。サーキュレータ１１は、通常用いられる、入力および出力の方向が複数の端子間で循環的に定まっている回路である。
本実施の形態２における無線装置２７において、さらに送信機６から送信帯域の下り送信波１３を送信する場合は、送信用アンテナ３に接続されたサーキュレータ１１に下り送信波１３を送り、この下り送信波１３が送信用アンテナ３へ現れることにより送信用アンテナ３を経由して送信することができる。受信帯域用受信機５が受信用アンテナ２から受信帯域の上り干渉波３２を検出する場合は、高周波スイッチ１０を周波数変換部９の出力側から受信用アンテナ２側へ切り替えることにより、受信用アンテナ２を経由して検出することができる。
上述のようにサーキュレータ１１は送信機６と周波数変換部９とを切替える機能を有しており、サーキュレータ１１を用いても実施の形態１における高周波スイッチ８と同様の効果を奏することができる。したがって実施の形態１と同様に、送信帯域の下り干渉波専用の送信帯域用受信機４とこの送信帯域用受信機４に接続された送信用アンテナ１が不要となる。周波数変換部９、サーキュレータ１１および高周波スイッチ１０のサイズは通常小型であり、コストも低い。したがって無線装置２７は従来の無線装置７と比較して、不要になった送信帯域用受信機４および送信用アンテナ１の分だけ小型化することができ、低コスト化を行うことも可能である。
【００１１】
以上より、実施の形態２によれば、送信機と周波数変換部とを切替える機能を有するサーキュレータを高周波スイッチに替えて備えることにより、実施の形態１と同様に送信帯域の下り干渉波専用の送信帯域用受信機とこの送信帯域用受信機に接続された送信用アンテナとを不要とすることができる。したがって干渉波検出機能を有する無線装置を小型化することができ、低コスト化を行うことも可能である。
【００１２】
【発明の効果】
以上説明したように、本発明の無線装置によれば、送信帯域の下り干渉波の周波数を受信帯域へ変換し、受信帯域用受信機によって下り干渉波を検出することにより、専用の送信用アンテナおよび送信帯域用受信機を備えることなく送信帯域の下り干渉波の検出を行うことができる小型でかつ低コストの無線装置を提供することができる。
【図面の簡単な説明】
【図１】  本発明の実施の形態１における無線装置を示す図である。
【図２】  本発明の実施の形態２における無線装置を示す図である。
【図３】  従来の干渉波検出機能を備えた無線装置を示す図である。
【符号の説明】
１、３  送信用アンテナ、  ２  受信用アンテナ、  ４  送信帯域用受信機、  ５  受信帯域用受信機、  ６  送信機、  ７  従来の無線装置、  ８、１０  高周波スイッチ、  ９  周波数変換部、  １１  サーキュレータ、  １７、２７  無線装置。
【図１】
0003657805.tif 000002
【図２】
0003657805.tif 000003
【図３】
0003657805.tif 000004